(57)【特許請求の範囲】
【請求項１】
カードの端子部を挿抜可能でありマザーボードに実装可能なハウジングと、
前記ハウジングに挿入された前記端子部と導通し挟む一対のコンタクトと、
前記一対のコンタクトを前記カードに向けて付勢する一対の付勢部と、を備え、
前記一対のコンタクトの一方と、前記一対のコンタクトの一方を付勢する付勢部とは、互いに相反する方向に延びており、
前記一対の付勢部は前記ハウジング内に設けられ、
前記一対の付勢部の少なくとも一方は、前記一対のコンタクトの少なくとも一方と導通し、前記ハウジングが実装された前記マザーボードと導通している、カードコネクタ。
【請求項２】
前記一対のコンタクトの少なくとも一方は、前記端子部に接触する複数の接点部を有している、請求項１のカードコネクタ。
【請求項３】
前記一対のコンタクトの少なくとも一方を付勢する付勢部は、前記複数の接点部の間を前記カードに向けて付勢する、請求項２のカードコネクタ。
【請求項４】
前記一対のコンタクトの少なくとも一方は、前記ハウジングが実装された前記マザーボードと導通している、請求項１乃至３の何れかのカードコネクタ。
【請求項５】
請求項１乃至４の何れかのカードコネクタと、
請求項１のマザーボードとを備えた、電子装置。
【発明の詳細な説明】
【技術分野】
【０００１】
本発明は、カードコネクタ及びそれを備えた電子装置に関する。
【背景技術】
【０００２】
マザーボードに実装され、カードを挿入することによりカードとマザーボードとを電気的に接続するカードコネクタが知られている。カードコネクタからのカードが抜けることを防止する機構がある。関連技術が特許文献１に開示されている。
【先行技術文献】
【特許文献】
【０００３】
【特許文献１】特開２００２−５６９１０号公報
【特許文献２】特開２００１−１２６７９１号公報
【特許文献３】実開平７−１８３８７号公報
【発明の概要】
【発明が解決しようとする課題】
【０００４】
このようなカード脱落防止機構は、カードコネクタとは別にマザーボード又はコネクタに取付けられる。従って、この機構の取付作業により、カードコネクタの組立工程数が増える。
【０００５】
そこで本発明は、カードが抜けることを防止する機構の取付作業が不要なカードコネクタ及びそれを備えた電子装置を提供することを目的とする。
【課題を解決するための手段】
【０００６】
本明細書に開示のカードコネクタは、カードの端子部を挿抜可能でありマザーボードに実装可能なハウジングと、前記ハウジングに挿入された前記端子部と導通し挟む一対のコンタクトと、前記一対のコンタクトを前記カードに向けて付勢する一対の付勢部と、を備え、前記一対のコンタクトの一方と、前記一対のコンタクトの一方を付勢する付勢部とは、互いに相反する方向に延びており、前記一対の付勢部は前記ハウジング内に設けられている。
【０００７】
本明細書に開示の電子装置は、前記カードコネクタと前記マザーボードとを備えている。
【発明の効果】
【０００８】
カードが抜けることを防止する機構の取付作業が不要なカードコネクタ及びそれを備えた電子装置を提供できる。
【図面の簡単な説明】
【０００９】
【図１】図１Ａ、１Ｂは、実施例１のカードコネクタの説明図。
【図２】図２Ａ、２Ｂは、実施例１のカードコネクタとは異なる構造を有したカードコネクタの説明図。
【図３】図３Ａ〜３Ｃは、それぞれ実施例２〜４のカードコネクタの内部構造の説明図。
【発明を実施するための形態】
【００１０】
図面を参照して複数の実施例について説明する。
【実施例１】
【００１１】
実施例１のカードコネクタについて説明する。
図１Ａ、１Ｂは、実施例１のカードコネクタの説明図である。図１Ａに示すように、カードコネクタ１は、樹脂製のハウジング１０を含む。ハウジング１０は、マザーボード６０に実装されている。ハウジング１０は合成樹脂製である。ハウジング１０には、挿抜口１２が設けられている。挿抜口１２は、カード８０の端子部群８２ｇが挿抜可能である。
【００１２】
端子部群８２ｇは、カード８０の縁に沿うように設けられている。後述するが、カード８０の裏面側には端子部群８３ｇが設けられている。端子部群８２ｇは、互いに区分けされた複数の端子部を含む。複数の端子部のそれぞれに、後述するコンタクトが接触する。カード８０は、例えばメモリカードやビデオカードなどの小型のプリント基板ユニットである。このようはカードコネクタ１、マザーボード６０は、例えばサーバやパソコン等の電子装置に搭載されている。尚、実施例１では、電子装置の通常の使用態様においてマザーボード６０は垂直な姿勢をとる。また、ハウジング１０に対するカード８０の挿抜方向は、マザーボード６０に対して垂直な方向である。
【００１３】
図１Ｂは、カードコネクタ１の内部構造を例示している。図１Ｂは、カード８０がハウジング１０内に挿入された状態を例示している。図１Ｂに例示するように、カード８０には、両面にそれぞれ端子部８２、８３が設けられている。ハウジング１０内には、端子部８２、８３とそれぞれ接触するコンタクト２０、３０が設けられている。尚、図１Ｂにおいては、端子部８２、８３はそれぞれ一つしか例示していないが、実際にはカード８０に複数設けられている。コンタクト２０、３０も、複数の端子部８２、８３と同様の数だけ設けられている。コンタクト２０、３０は、カード８０を挟んでいる。
【００１４】
ハウジング１０内には、コンタクト２０、３０をそれぞれカード８０の厚み方向に向けて付勢する付勢部４０、５０が設けられている。コンタクト２０、３０、付勢部４０、５０の何れも金属製であり、導電性を有し、弾性変形可能である。カード８０とマザーボード６０とは、コンタクト２０、３０、付勢部４０、５０を介して電気的に接続されている。付勢部４０、５０も、複数のコンタクト２０、３０と同様の数だけ設けられてもよく、一つの付勢部で複数のコンタクトに接触する構造でも良い。
【００１５】
コンタクト２０の固定端２１は、ハウジング１０の先端側に固定されている。詳細には、ハウジング１０の内側に設けられた孔に固定端２１が圧入されている。コンタクト２０の自由端２２は、ハウジング１０の基端側、即ちマザーボード６０側に位置している。コンタクト２０は、固定端２１から自由端２２にかけて、マザーボード６０側に向かって延びている。即ち、コンタクト２０は、カード８０の挿入方向ＩＤに延びている。コンタクト２０は、薄板状である。コンタクト２０は、複数の接点部２４、２５を有している。接点部２４、２５は、共に端子部８２に接触している。接点部２４、２５は、円弧状に湾曲している。
【００１６】
コンタクト３０は、コンタクト２０と同様の構造を有している。コンタクト３０は、固定端３１から自由端３２に掛けて挿入方向ＩＤに延びている。コンタクト３０は、端子部８３に接触した接点部３４、３５を有している。カード８０が挿入されていない状態でのコンタクト２０、３０間の距離は、カード８０の厚みよりも若干短くなるように設定されている。これにより、カード８０がコンタクト２０、３０の間に挿入された際に、コンタクト２０、３０は、弾性復元力によりカード８０を挟んだ状態を維持する。
【００１７】
付勢部４０、５０は、コンタクト２０、３０を挟むように付勢している。付勢部４０の固定端４１は、ハウジング１０の基端を貫通しマザーボード６０と接続されている。詳細には、固定端４１は、マザーボード６０に設けられた孔に貫通して６５によりマザーボード６０に固定されている。固定端４１は、マザーボード６０に形成された配線パターンと電気的に接続されている。自由端４２は、ハウジング１０の先端側に位置している。
【００１８】
付勢部４０は、固定端４１から自由端４２にかけて、ハウジング１０の先端側に延びている。即ち、付勢部４０は、カード８０の抜去方向ＰＤに延びている。付勢部４０には、自由端４２側に接触部４４が設けられている。接触部４４は、円弧状に湾曲している。接触部４４は、接点部２４、２５の間でコンタクト２０と接触している。即ち、付勢部４０は、接点部２４、２５の間でコンタクト２０をカード８０側に付勢している。コンタクト２０、付勢部４０は、互いに対向しつつ相反する方向に延びている。
【００１９】
付勢部５０は、付勢部４０と同様の構造を有している。付勢部５０は、抜去方向ＰＤに延びている。付勢部５０は、接触部５４を有している。接触部５４は、接点部３４、３５の間でコンタクト３０をカード８０側に付勢している。付勢部５０の固定端５１はマザーボード６０と電気的に接続されている。コンタクト３０、付勢部５０は、互いに対向しつつ相反する方向に延びている。
【００２０】
以上のように、付勢部４０、５０は、コンタクト２０、３０をカード８０に向けて付勢する。これにより、例えば何らかの原因によりカード８０が厚み方向ＺＤに振動した場合であっても、接点部４４、５４が滑ることにより、接点部２４、２５と、接点部３４、３５とは、それぞれ端子部８２、８３へ移動が抑制されて押圧される。これにより、接点部２４、２５と端子部８２との接触、及び接点部３４、３５と端子部８３との接触が維持される。これにより、付勢部４０、５０は、ハウジング１０からカード８０が抜けることを防止している。尚、Ｚ方向は、挿入方向ＩＤ、抜去方向ＰＤに直交している。
【００２１】
図２Ａ、２Ｂは、実施例１のカードコネクタ１とは異なる構造を有したカードコネクタ１ｘの説明図である。
図２Ａは、カード８０が挿入されたカードコネクタ１ｘを例示している。カードコネクタ１ｘのハウジング１０ｘの両側部にはラッチ機構９０ａが設けられている。ラッチ機構９０ａは、ハウジング１０ｘに挿入されたカード８０と係合する。これにより、ハウジング１０ｘからカード８０が抜けることが防止されている。ラッチ機構９０ａは、ハウジング１０ｘとは別に設けられている。マザーボード６０ｘにハウジング１０ｘを実装した後に、ハウジング１０ｘにラッチ機構９０ａが取付けられる。
【００２２】
図２Ａには、ラッチ機構９０ａの他に固定枠９０ｂを例示している。固定枠９０ｂは、枠状に加工された金属製品である。ハウジング１０ｘにカード８０を挿入した後に、ハウジング１０ｘに固定枠９０ｂを取付ける。固定枠９０ｂは、カード８０の縁を押える。これにより、カード８０は固定枠９０ｂに押えられてハウジング１０ｘからカード８０が抜けることが防止される。尚、通常はラッチ機構９０ａ、固定枠９０ｂの何れか一方が設けられて、カード８０がカードコネクタ１ｘから抜けることが防止されている。
【００２３】
以上のように、ラッチ機構９０ａ、固定枠９０ｂの何れもハウジング１０ｘとは別にハウジング１０ｘに取付けられている。このため、カードコネクタ１ｘにおいては、ハウジング１０ｘにラッチ機構９０ａ、固定枠９０ｂを取付けるための作業が必要となる。
【００２４】
しかしながら、実施例１のカードコネクタ１では、付勢部４０、５０がハウジング１０内に設けられている。付勢部４０、５０は、前述したようにハウジング１０からカード８０が抜けることを防止している。即ち、ハウジング１０からカード８０が抜けることを防止する機構がハウジング１０内に設けられている。このため、カードコネクタ１のハウジング１０に対して、カードが抜けることを防止する機構の取付作業は不要である。これにより、カードコネクタ１の組立工程数が減少する。
【００２５】
カードコネクタ１ｘにおいては、ラッチ機構９０ａ又は固定枠９０ｂの取付作業を考慮して、マザーボード６０に実装される他の電子部品などの配置位置が設定されていた。このため、ラッチ機構９０ａ又は固定枠９０ｂの取付作業を考慮した領域分だけ、マザーボード６０ｘ上の実装可能な領域は制限されていた。しかしながら、実施例１のカードコネクタ１では、カードが抜けることを防止する機構はハウジング１０内に設けられており、このような機構の取付作業は不要である。従って、マザーボード６０上の実装可能な領域を確保することができる。
【００２６】
図２Ｂは、ハウジング１０ｘの内部構造を例示している。ハウジング１０ｘ内には、コンタクト２０ｘ、３０ｘが設けられている。コンタクト２０ｘ、３０ｘは、それぞれ単一の接点部２４ｘ、３４ｘを有している。固定端２１ｘ、３１ｘはマザーボード６０と電気的に接続している。コンタクト２０ｘは、自由端２２ｘ側に接点部２４ｘを有している。接点部２４ｘは、端子部８２と接触している。コンタクト３０ｘは、コンタクト２０ｘと同様の構造である。
【００２７】
例えばカード８０が厚み方向ＺＤに振動した場合、接点部２４ｘ、３４ｘがそれぞれ端子部８２、８３上を滑る。これにより、カード８０が抜去方向ＰＤに移動してハウジング１０ｘから抜ける恐れがある。特に、マザーボード６０が垂直となる姿勢でカードコネクタ１が電子装置に取付けられる場合には、カード８０は厚み方向ＺＤに振動しやすい。以上のように、本発明者はカード８０が挿入方向ＩＤ、抜去方向ＰＤと直交する厚み方向ＺＤに振動した場合に、カード８０が抜け落ちやすくなることを新たに発見した。
【００２８】
しかしながら、上述したように実施例１のカードコネクタ１では、コンタクト２０、３０をそれぞれカード８０に向けて付勢する付勢部４０、５０が設けられている。これにより、ハウジング１０からのカード８０の抜けが防止される。
【００２９】
カード８０の抜けが防止される仕組みについて詳細に説明する。図１Ｂに例示するように、接触部４４が接点部２４と接点部２５との間の部分のコンタクト２０を端子部８２側に付勢している。例えばカード８０が厚み方向ＺＤに振動した場合、コンタクト２０、付勢部４０は、撓む。コンタクト２０、付勢部４０の撓みによってコンタクト２０に対する接触部４４の位置は移動するが、端子部８２に対する接点部２４、２５の位置は移動しにくい。この理由は、付勢部４０によりコンタクト２０がカード８０に向けて付勢されているからである。上記のことは、コンタクト３０、付勢部５０にも該当する。従って、カード８０が抜去方向ＰＤに移動することが抑制され、カード８０が抜けることが防止されている。
【００３０】
コンタクト２０は、複数の接点部２４、２５を有し、コンタクト３０も同様に複数の接点部３４、３５を有している。このため、コンタクト２０とカード８０との接触箇所が複数あり、コンタクト３０とカード８０との接触箇所も複数ある。従って、カード８０が抜去方向ＰＤに移動する際のカード８０とコンタクト２０との摺動抵抗及びカード８０とコンタクト３０との摺動抵抗は、カードコネクタ１ｘと比較して大きい。このため、ハウジング１０からのカード８０の抜けが防止される。
【００３１】
コンタクト２０と端子部８２との接触箇所は複数あり、コンタクト３０と端子部８３との接触箇所も同様に複数ある。従って、接点部２４、２５の少なくとも一方が端子部８２と接触し、接点部３４、３５の少なくとも一方が端子部８３と接触していれば、カード８０とマザーボード６０とは電気的な接続が維持される。このように電気的な接続の信頼性が向上している。
【００３２】
固定端２１から接点部２４までの距離は短く、固定端３１から接点部３４までの距離も短い。また、固定端２１、３１は、ハウジング１０に固定されている。このため、固定端２１から接点部２４までの間ではコンタクト２０は撓みにくく、固定端３１から接点部３４までの間ではコンタクト３０は撓みにくい。従って、接点部２４、３４は、カード８０の厚み方向ＺＤでの可動範囲を小さく制限する機能を有している。これにより、カード８０の抜けが防止される。
【００３３】
また、コンタクト２０の接点部２４、及びコンタクト３０の接点部３４は、ハウジング１０の先端側に位置している。換言すれば、接点部２４、３４は、接点部２５、３５よりもカード８０の重心に近い位置でカード８０を挟んでいる。このため、カード８０が厚み方向ＺＤに振動することを効率的に防止している。
【００３４】
コンタクト２０と付勢部４０とは互いに対向しつつ相反する方向に延びている。コンタクト３０と付勢部５０とについても、コンタクト２０と付勢部４０と同様である。詳細には、固定端２１、３１はハウジング１０の先端側で固定され、固定端４１、５１はハウジング１０の基端側で固定されている。固定端２１、３１、４１、５１を共にハウジング１０の基端側又は先端側に固定する場合、固定端の挿入用の孔をハウジング１０の基端側又は先端側に集約する必要がある。このような孔をハウジング１０の基端側又は先端側に集約すると、ハウジング１０の強度が部分的に弱くなる恐れがある。しかしながら、図１Ｂに示したように、固定端２１、３１はハウジング１０の先端側、固定端４１、５１はハウジング１０の基端側で固定されている。これにより、ハウジング１０の強度が部分的に低下することを防止している。
【実施例２】
【００３５】
図３Ａは、実施例２のカードコネクタ１ａの内部構造の説明図である。尚、実施例２のカードコネクタ１ａについて、実施例１のカードコネクタ１と同一、類似の部分については、同一、類似の符号を用いて説明する。
コンタクト２０ａの固定端２１、及びコンタクト３０ａの固定端３１は、ハウジング１０の基端側に固定されている。付勢部４０ａの固定端４１、及び付勢部５０ａの固定端５１は、ハウジング１０の先端側に固定されている。コンタクト２０ａ、３０ａは、抜去方向ＰＤに延び、付勢部４０ａ、５０ａは、挿入方向ＩＤに延びている。コンタクト２０ａの固定端２１、コンタクト３０ａの固定端３１は、マザーボード６０ａを貫通してマザーボード６０ａと電気的に接続されている。このような構造であっても、ハウジング１０ａからのカード８０の抜けが防止される。
【実施例３】
【００３６】
図３Ｂは、実施例３のカードコネクタ１ｂの内部構造の説明図である。
コンタクト２０ａは、抜去方向ＰＤに延び、コンタクト３０は、挿入方向ＩＤに延びている。付勢部４０ａは、挿入方向ＩＤに延び、付勢部５０は、抜去方向ＰＤに延びている。コンタクト２０ａとコンタクト３０とは相反する方向に延びている。コンタクト２０ａとコンタクト２０ａを付勢する付勢部４０ａとについても、相反する方向に延びている。また、コンタクト２０ａ及び付勢部５０は、マザーボード６０と直接電気的に接続される。このように、コンタクト２０ａ、コンタクト３０が相反する方向に延びているが、コンタクト２０ａ、４０ａが相反する方向に延び、コンタクト３０、付勢部５０も相反する方向に延びている。これにより、コンタクト２０ａ、３０、付勢部４０ａ、５０が挿入される孔をハウジング１０ｂの基端側又は先端側に集約することに起因するハウジング１０ｂの強度の低下を防止できる。
【実施例４】
【００３７】
図３Ｃは、実施例４のカードコネクタ１ｃの内部構造の説明図である。
コンタクト２０ｂ、３０ｂは、それぞれ単一の接点部２５、３５を有している。付勢部４０の接触部４４は、固定端２１と接点部２５との間の部分でコンタクト２０ｂを付勢している。同様に、付勢部５０の接触部５４は、固定端３１と接点部３５との間の部分でコンタクト３０ｂを付勢している。付勢部４０、５０が、コンタクト２０ｂ、３０ｂをカード８０に向けて付勢することにより、カード８０の抜けが防止される。
【００３８】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００３９】
１  カードコネクタ
１０  ハウジング
２０、３０  コンタクト
２１、３１、４１、５１  固定端
２２、３２、４２、５２  自由端
２４、２５、３４、３５  接点部
４０、５０  付勢部
４４、５４  接触部
６０  マザーボード
８０  カード
８２、８３  端子部
【図１】
0005402462.tif 000002
【図２】
0005402462.tif 000003
【図３】
0005402462.tif 000004